(57)【要約】【課題】二層漉き合わせ紙の特性を利用し、剥離すること自体を楽しみ、また剥離することによって現れる絵柄を楽しむことができる装飾紙を提供する。【解決手段】表面層１０ａと裏面層との色が異なる二層漉き合わせ紙からなる装飾紙１０であって、表面層１０ａの表面には多数の絵柄１２ａ〜１２ｋが閉じた外形線のみで描かれ、外形線に沿って裏面層に達する切り込みが入っていて、外形線内側の表面層１０ａが剥離可能となっている。多数の絵柄１２ａ〜１２ｋは例えばクリスマス等の同一テーマに関連付けられたものである。【選択図】図１
0003203636.tif 000002
【実用新案登録請求の範囲】
【請求項１】
表面層と裏面層との色が異なる二層漉き合わせ紙からなる装飾紙であって、
前記表面層の表面には多数の絵柄が閉じた外形線のみで描かれ、
前記外形線に沿って裏面層に達する切り込みが入っていて、前記外形線内側の前記表面層が剥離可能となっていることを特徴とする装飾紙。
【請求項２】
前記多数の絵柄は同一テーマに関連付けられたものであることを特徴とする請求項１記載の装飾紙。
【請求項３】
前記絵柄には表面層を剥離すべき日を示す数字が記されていることを特徴とする請求項２記載の装飾紙。
【考案の詳細な説明】
【技術分野】
【０００１】
この考案は装飾紙に関し、さらに詳細には、色が異なる二層漉き合わせ紙からなる装飾紙に関する。
【背景技術】
【０００２】
色が異なる表面層と裏面層とからなる二層漉き合わせ紙が知られている。この二層漉き合わせ紙は、表と裏の色が異なることから意外性があり、ラッピング材や紙バック等に用いられている。
【０００３】
二層漉き合わせ紙は、一方の層を他方の層から剥離することが可能であるが（例えば特許文献１参照）、剥離すること自体を楽しみ、さらには剥離することによって現れる絵柄を見て楽しむことができる装飾紙は未だ提案されていない。
【先行技術文献】
【特許文献】
【０００４】
【特許文献１】特開２００３−７３９９８号公報
【考案の概要】
【考案が解決しようとする課題】
【０００５】
この考案は上記のような技術的背景に基づいてなされたものであって、次の目的を達成するものである。
この考案の目的は、二層漉き合わせ紙の特性を利用し、剥離すること自体を楽しみ、また剥離することによって現れる絵柄を楽しむことができる装飾紙を提供することにある。
【課題を解決するための手段】
【０００６】
この考案は上記課題を達成するために、次のような手段を採用している。
すなわち、この考案は、表面層と裏面層との色が異なる二層漉き合わせ紙からなる装飾紙であって、
前記表面層の表面には多数の絵柄が閉じた外形線のみで描かれ、
前記外形線に沿って裏面層に達する切り込みが入っていて、前記外形線内側の前記表面層が剥離可能となっていることを特徴とする装飾紙にある。
【０００７】
より具体的には、前記多数の絵柄は同一テーマに関連付けられたものとする構成を採用することができる。また、前記絵柄には表面層を剥離すべき日を示す数字が記されている構成を採用することができる。
【考案の効果】
【０００８】
この考案によれば、二層漉き合わせ紙の特性を利用し、剥離すること自体を楽しみ、また剥離することによって現れる絵柄を楽しむことができる。
【図面の簡単な説明】
【０００９】
【図１】この考案の実施形態を示し、装飾紙の平面図である。
【図２】１つの外形線絵柄の内側の表面層を剥離した状態を示す平面図である。
【図３】全ての外形線絵柄の内側の表面層を剥離した状態を示す平面図である。
【図４】図１のＡ−Ａ線矢視断面図である。
【考案を実施するための形態】
【００１０】
この考案の実施形態を図面を参照しながら以下に説明する。図１は、この考案の実施形態を示す平面図である。装飾紙１０は図４に断面で示すように（厚みは誇張しており、実際は一般的な紙厚程度である）、表面層１０ａと裏面層１０ｂとの二層漉き合わせ紙からなり、表面層１０ａと裏面層１０ｂは色が異なっている。
【００１１】
この実施形態の装飾紙１０はクリスマスをテーマとしており、表面層１０ａの表面にはクリスマスに関連する多数の絵柄が描かれている。絵柄はこの実施形態では、表面層に着色して描かれた着色絵柄１１ａ，１１ｂと、閉じた外形線のみで描かれた多数の外形線絵柄１２ａ，１２ｂ・・・１２ｊ，１２ｋとからなっている。
【００１２】
着色絵柄１１ａ，１１ｂは、それぞれリース及びモールを模したものであり、緑色に着色されている。外形線絵柄１２ａ，１２ｂ・・・１２ｊは、クリスマスツリーに用いられる星、ボール、靴下等のオーナメントを模したものであり、また外形線絵柄１２ｋはアルファベット文字「ＭＥＲＲＹ  ＣＨＲＩＳＴＭＡＳ」を各文字が連続するようにデフォルメして描いたものである。
【００１３】
図４に例えば絵柄１２ｊに関して断面で示すように、外形線絵柄１２ａ，１２ｂ・・・１２ｊ，１２ｋにはその外形線に沿って切り込み１３が入れられている。切り込み１３は表面層１０ａから裏面層１０ｂに達する深さのものである。この切り込み１３はカッティングプロッターを用い、パワーを調整することにより表面層１０ａのみに入れることができる。なお、図１では外形線絵柄１２ａ，１２ｂ・・・１２ｊ，１２ｋは、その外形線が明瞭に示されているが、実際は外形線は切り込みによるものなので、微かに判明できる程度である。
【００１４】
このような切り込み１３を表面層１０ａに入れることにより、図４に絵柄１２ｊの場合を示すように、外形線絵柄１２ａ，１２ｂ・・・１２ｊ，１２ｋの外形線内側の表面層１０ａを剥離することができる。
【００１５】
また、外形線絵柄１２ａ，１２ｂ・・・１２ｊ，１２ｋには、その外形線の内方に数字「１５，１６・・・２４，２５」が順に記されている。これらの数字はクリスマスの月（１２月）の日付を意味している。
【００１６】
以上のような装飾紙１０を購入した購買者は、装飾紙１０を壁等に貼り付けておく。単に机上に置いておいてもよい。そして、日付が１２月１５日になると、図２に示すように、それに対応する数字「１５」が記された外形線絵柄１２ａの表面層１０ａを剥離する。そうすると、外形線絵柄１２ａの外形線によって縁取られた裏面層１０ｂが露出する。この裏面層１０ｂは表面層１０ａと色が異なるので、くっきりと現れる。
【００１７】
以下、１日ごとに対応する日付の数字が記された外形線絵柄１２ｂ，１２ｃ・・・１２ｊ，１２ｋの表面層１０ａを剥離する。図３は、クリスマス当日である１２月２５日までに全ての外形線絵柄１２ａ，１２ｂ・・・１２ｊ，１２ｋの表面層１０ａを剥離した状態を示している。全ての外形線絵柄１２ａ，１２ｂ・・・１２ｊ，１２ｋは、裏面層１０ｂの色によってくっきりと現れ、クリスマスの雰囲気を醸し出してくれる。なお、剥離によって表れる裏面層１０ｂは、図面上網目で示されているが、表面層１０ａとの色が異なることを意味しているにすぎない。
【００１８】
上記のような装飾紙１０によれば、表面層１０ａを剥離すること自体を意外性をもって楽しみ、さらには剥離することによって現れる絵柄を見て楽しむことができる。
【００１９】
上記実施形態は例示にすぎず、この考案は種々の態様を採ることができる。例えば絵柄のテーマはクリスマスに限らず、誕生日、入学式等種々のものを選択することができ、それに関連した絵柄を描くことができる。また、着色絵柄１１ａ，１１ｂは必ずしも描かなくともよい。
【符号の説明】
【００２０】
１０：装飾紙
１１ａ，１１ｂ：着色絵柄
１２ａ〜１２ｋ：外形線絵柄
１３：切り込み
【図１】
0003203636.tif 000003
【図２】
0003203636.tif 000004
【図３】
0003203636.tif 000005
【図４】
0003203636.tif 000006